(57)【要約】血圧計の加圧部４がカフ１を加圧する第１駆動モードと第２駆動モードを有し、演算処理部８は血圧計の本体に設置されるセンサー部５により感知される血圧計の遊動や位置方向の信号を複数の群に分けて特定し、前記複数の群に分けられた信号帯域によって前記第１駆動モードと第２駆動モードが選択的に駆動するように構成し、演算処理部は血圧測定部６から血圧を測定する時間と該血圧を測定する時間に応じて受信される前記センサーの感知信号帯域を連係演算して血圧情報データを作成する。これにより被測定者の動き強度や姿勢の状態による血圧の変化を正確に判断できる血圧測定装置を提供することができる。
2013502969.tif 000002
【特許請求の範囲】
【請求項１】
カフと、前記カフを加圧する加圧部と、前記カフの加圧を解除する排気部と、前記カフの加圧によって血圧を測定する血圧測定部と、測定された血圧データを演算処理する演算処理部と、演算処理された血圧情報を記憶するメモリーと、演算処理部またはメモリーに記憶された血圧情報を出力するデータ出力部と、血圧計の本体に設置され該血圧計の遊動や位置方向を感知できるセンサーを備え、
前記演算処理部は、前記血圧測定部から血圧を測定する時間と該血圧を測定する時間に応じて受信される前記センサーの感知信号帯域とを連係演算して血圧情報データを生成することを特徴とする被測定者の体の動きを感知すると共に血圧を測定できる血圧測定装置。
【請求項２】
前記加圧部は、前記カフを加圧する第１駆動モードと第２駆動モードを有し、前記演算処理部は、前記センサーにより感知された血圧計の遊動や位置方向の信号を複数の群に分けて特定し、前記複数の群に分けられた信号帯域によって前記第１駆動モードと第２駆動モードとを選択的に駆動させることを特徴とする請求項１に記載の被測定者の体の動きを感知すると共に血圧を測定できる血圧測定装置。
【請求項３】
前記第１駆動モードは前記第２駆動モードに比べて前記カフの加圧が速やかに行なわれ、前記演算処理部は前記複数の群に分けられた信号帯域中から選択される何れか二つ以内の信号帯域で血圧が測定される場合に前記第２駆動モードを駆動し、残りの複数の信号帯域で血圧が測定される場合に前記第１駆動モードを駆動することを特徴とする請求項２に記載の被測定者の体の動きを感知すると共に血圧を測定できる血圧測定装置。
【請求項４】
第１駆動モード、第２駆動モードからなる加圧部の何れか一つの駆動モードを利用してカフを加圧して被測定者の一番目の血圧を測定する第１ステップと、
血圧計の本体に備えられるセンサーによって感知される該血圧計の遊動や位置方向に対する情報を入力して演算処理部が複数の群に信号帯域を特定する第２ステップと、
前記演算処理部が、被測定者の一番目の血圧を測定した時間帯に応じた信号帯域の群を比較判断して前記血圧計の遊動や位置方向および測定された血圧情報を出力部を通じて同時に出力またはメモリーに記憶させる第３ステップと、
演算処理部が、前記複数の群に分けられた信号帯域の対応位置によって前記第１駆動モードと第２駆動モードを選択的に駆動するように制御して被測定者の二番目の血圧を測定する第４ステップとを行い、
一定時間の間、第２ステップから第４ステップを繰り返すことを特徴とする被測定者の体の動きを感知すると共に血圧を測定できる血圧測定方法。
【請求項５】
前記第１駆動モードは前記第２駆動モードに比べて前記カフの加圧が速やかに行なわれ、前記複数の群に分けられた信号帯域中から選択される何れか二つ以内の信号帯域で血圧が測定される場合に前記第２駆動モードを駆動し、残りの複数の信号帯域で血圧が測定される場合に前記第１駆動モードを駆動することを特徴とする請求項４に記載の被測定者の体の動きを感知すると共に血圧を測定できる血圧測定方法。
【発明の詳細な説明】
【技術分野】
【０００１】
本発明は被測定者の姿勢あるいは動きを感知しながら血圧を測定できる血圧測定装置および血圧測定方法に関する。特に、被測定者の姿勢あるいは動きを感知するためにセンサーを使用することによって被測定者の動きと姿勢の状態による血圧の変化を正確に判断することができ、被測定者が日常生活をしながら２４時間変化する血圧を連続的に測定する場合に於いて、被測定者が座っているか、立っているか、横になっているか、歩いているか、走っているか、階段を上っているか、睡眠中に寝返りをするなどの動きがある場合、これらの動きをセンサーが感知して、測定血圧の結果と共にこれらの動きの情報が記録されるので、被測定者の血圧が体のどの姿勢あるいはどの動きの状態で測定されたかを知ることによって、より正確な血圧の変動を診断することができる血圧測定システムに関する。
【背景技術】
【０００２】
被測定者の随時変化する血圧を測定するために２４時間血圧のモニタリングが可能である血圧計が幅広く使用されている。このような血圧計は絶えず変化する被測定者の血圧状態を測定するために使用されていて、測定時間帯別に血圧の測定結果が記録されて専門家がこれを判読するシステムになっている。しかしながら、被測定者の姿勢あるいは動きによって血圧測定値が異なるのか、それとも被測定者の体の特性による血圧の変化であるのかを正確に把握することができない。さらに、歩行や運動など被測定者の活動程度による血圧の変化度を正確に把握することは難しい。
【０００３】
即ち、図１のように被測定者の姿勢あるいは動きを感知できるセンサーが無い従来の血圧計により例えば最高血圧１３０ｍｍＨｇ、最低血圧７０ｍｍＨｇ、脈拍数７６回の血圧測定結果が得られたとしても、測定された血圧が被測定者が横になっている状態で測定された血圧であるのか、歩行中の状態で測定された血圧であるのか分からない。被測定者の血圧測定の時間によって就寝時間、起床時間、活動時間などを推定して血圧測定の結果と比較するので被測定者の正確な血圧情報を得ることができない。
【０００４】
また、被測定者の活動程度を測定するために加速度センサーを備えた歩数計などの装置を使用して被測定者の動き状態を把握することができるが、実際には活動量測定器や歩数計から測定された被測定者の動き情報と血圧測定情報がそれぞれ別に測定されるので、相互比較して時間帯別に変化する体の血圧情報を正確に把握することができないという短所がある。
さらに、２４時間の日常生活において被測定者が、立っているか、座っているか、横になっているか、走っているか、階段を上っているか、運動をしているか、休憩を取っているかなどの姿勢あるいは動き状態の変化によって血圧が変化し、被測定者の体の機能異常によっても血圧が変化する。
【０００５】
従って、被測定者の血圧変化の原因を正確に把握することは血圧の測定結果の精度を向上させる効果があり、歩き、走り、階段上りなど被測定者が運動している時に血圧を測定することができれば、被測定者の体の状態による正確な血圧情報を得ることができる。
【０００６】
体の状態情報が正確に反映された血圧情報は専門家の血圧診断に大いに役に立つが、被測定者の姿勢あるいは動き状態を正確に把握することができないので、被測定者から聞いた内容に基づき診断しているのが一般的である。
【発明の概要】
【発明が解決しようとする課題】
【０００７】
本発明は前述した問題点を解決するために案出されたものであり、被測定者の体の動き状態と連係して測定された血圧結果を出力することができるように血圧測定システムを構成することによって、血圧測定の信頼度を向上させ、被測定者の血圧情報を正確に判断することができる血圧計および血圧測定方法を提供することを目的とする。
【０００８】
本発明の他の目的は、被測定者の血圧測定が被測定者が座っている状態、横になっている状態、立っている状態、歩いている状態、運動している状態などのどの状態で測定が行なわれているかを血圧測定値と共にディスプレイし、特に、横になっている就寝状態では血圧計を第１駆動モード（正常駆動モード）に駆動させることなく、第２駆動モード（睡眠駆動モード）に駆動させて、カフの急激な圧迫が生じないようにすることによって就寝中に血圧測定に気付かないような血圧計を提供することである。
【課題を解決するための手段】
【０００９】
本発明の被測定者の体の動きを感知すると共に血圧を測定できる血圧測定装置は、カフと、前記カフを加圧する加圧部と、前記カフの加圧を解除する排気部と、前記カフの加圧によって血圧を測定する血圧測定部と、測定された血圧データを演算処理する演算処理部と、演算処理された血圧情報を記憶するメモリーと、演算処理部またはメモリーに記憶された血圧情報を出力するデータ出力部を備える。
特に、血圧計の本体に設置され該血圧計の遊動や位置、方向を感知できるセンサーを備え、前記演算処理部は前記血圧測定部から血圧を測定する時間と該血圧を測定する時間に応じて受信される前記センサーの感知信号帯域とを連係演算して血圧情報データを生成することを特徴とする。
【００１０】
また、前記加圧部は、前記カフを加圧する第１駆動モードと第２駆動モードを有し、前記演算処理部は、前記センサーにより感知された血圧計の遊動や位置、方向信号を複数の群に分けて特定し、前記複数の群に分けられた信号帯域によって前記第１駆動モードと第２駆動モードとを選択的に駆動させることを特徴とする。
【００１１】
また、前記第１駆動モードは前記第２駆動モードに比べて前記カフの加圧が速やかに行なわれ、前記演算処理部は前記複数の群に分けられた信号帯域中から選択される何れか二つ以内の信号帯域で血圧が測定される場合に前記第２駆動モードを駆動し、残りの複数の信号帯域で血圧が測定される場合に前記第１駆動モードを駆動することを特徴とする。
【００１２】
また、本発明の被測定者の体の動きを感知すると共に血圧を測定できる血圧測定装置を利用して血圧を測定する血圧測定方法は、第１駆動モード、第２駆動モードからなる加圧部の何れか一つの駆動モードを利用してカフを加圧して被測定者の一番目の血圧を測定する第１ステップと、血圧計の本体に備えられるセンサーによって感知される該血圧計の遊動や位置、方向に対する情報を入力して演算処理部が複数の群に信号帯域を特定する第２ステップと、前記演算処理部が被測定者の一番目の血圧を測定した時間に応じた信号帯域を比較判断して前記血圧計の遊動や位置、方向および測定された血圧情報を出力部を通じて同時に出力しメモリーに記憶する第３ステップと、演算処理部が前記複数の群に分けられた信号帯域の対応位置によって前記第１駆動モードと第２駆動モードを選択的に駆動するように制御して被測定者の二番目の血圧を測定する第４ステップとを行い、一定時間の間、第２ステップから第４ステップを繰り返すことを特徴とする。
【００１３】
また、前記第１駆動モードは前記第２駆動モードに比べて前記カフの加圧が速やかに行なわれ、前記複数の群に分けられた信号帯域中から選択される何れか二つ以内の信号帯域で血圧が測定される場合に前記第２駆動モードを駆動し、残りの複数の信号帯域で血圧が測定される場合に前記第１駆動モードを駆動することを特徴とする。
【発明の効果】
【００１４】
本発明の被測定者の姿勢あるいは動き状態を測定する機能を備える血圧測定装置は、被測定者の姿勢の変化あるいは動きの状態による血圧の変化をリアルタイムで確認でき、睡眠中に寝返りのような動きがある時でも血圧を測定して正確な血圧値を得ることができ、日常生活の中で歩く、走る、階段を上る、立つ、座る、横になるなどの被測定者の動きの強度や姿勢の状態によって血圧の変化度を把握することができるので、被測定者の正確な血圧の変化をモニタリングできるという長所がある。
また、就寝中であっても加圧部の急激な駆動圧力による振動や騒音によって被測定者が眼を覚ましたりする虞がないので血圧計の装着の安定感と信頼性を向上させるという長所がある。
【００１５】
また、血圧計の本体に被測定者の姿勢あるいは動きの状態を感知するセンサーを備え、血圧測定部により測定された被測定者の血圧情報を利用して演算処理部で被測定者の同じ時間帯に測定した姿勢や動きと血圧値を比較演算処理し、被測定者の姿勢あるいは動きに対する情報と血圧情報をメモリー部に記憶し、出力部を通じて被測定者の姿勢あるいは動きの情報と血圧情報を同時に比較できるように構成されるので、被測定者の血圧変化に対する正確な診断ができる情報を提供するという長所がある。
【図面の簡単な説明】
【００１６】
【図１】従来の血圧測定装置を利用して血圧を測定する例を示す図面である。
【図２】本発明の血圧測定装置を利用して血圧を測定する一例を示す図面である。
【図３】本発明の血圧測定装置のブロック図である。
【図４】本発明の血圧測定装置の血圧計の本体に備えられて血圧計の遊動や位置、方向を感知できるセンサー構造の一例を示す図面である。
【図５】本発明の血圧測定装置を利用して被測定者が立っている状態で血圧を測定したデータの出力を例示して示す図面である。
【図６】本発明の血圧測定装置を利用して被測定者が歩いている状態で血圧を測定したデータの出力を例示して示す図面である。
【図７】本発明の血圧測定装置を利用して被測定者が速く歩いている状態で血圧を測定したデータの出力を例示して示す図面である。
【図８】本発明の血圧測定装置を利用して被測定者が走っている状態で血圧を測定したデータの出力を例示して示す図面である。
【図９】本発明の血圧測定装置を利用して被測定者が横になっている状態で血圧を測定したデータの出力を例示して示す図面である。
【図１０】本発明の血圧測定装置を利用して被測定者が睡眠中に寝返りする状態で血圧を測定したデータの出力を例示して示す図面である。
【図１１】本発明の血圧測定装置の駆動を説明するためのフローチャートである。
【発明を実施するための形態】
【００１７】
以下に、本発明の血圧測定装置の技術構成および作用を図面を参照して詳しく説明する。
本発明の姿勢あるいは動きの状態測定が可能である血圧測定装置は、図２に示すように２４時間モニタリングできる一般的な血圧計と類似して構成されているが、本発明による血圧測定装置は血圧を測定するカフにセンサーが備えられているのではなく被測定者の体に固定される血圧計の本体にセンサーが備えられている。
【００１８】
図２および図３を参照すると、被測定者の姿勢あるいは動きの状態情報が血圧計の本体１０に設置されたセンサー５によって測定される。同時に被測定者の血圧値が測定され、該動きおよび姿勢情報と血圧値が共に記録される。それによって、血圧が測定される時に被測定者がどの姿勢の状態で血圧が測定されたかを知ることができる。即ち、最高血圧１３０ｍｍＨｇ、最低血圧７０ｍｍＨｇ、脈拍数７６回の血圧測定結果が得られたとすれば、その測定された血圧が横になっている状態で測定された血圧であるか、立っている状態で測定された血圧であるかを容易に知ることができる。
【００１９】
２４時間モニタリングが可能である血圧計は、歩いている時、座っている時，走っている時など動きおよび姿勢によって異なる血圧の測定値を示す。さらに、その測定値の偏差には個人差がある。例えば、最高血圧１２５ｍｍＨｇ、最低血圧８５ｍｍＨｇの被測定者が横になっている状態で血圧を測定すれば最高血圧は１００ｍｍＨｇ、最低血圧は７０ｍｍＨｇ、走っている状態で血圧を測定すれば最高血圧は１５５ｍｍＨｇ、最低血圧は９３ｍｍＨｇになる可能性もある。
【００２０】
このように被測定者の姿勢の状態により偏差が大きくなる測定血圧値を正確に診断するために、本発明の血圧測定装置１００は、図３に示すように被測定者の腕に巻き付けられるカフ１と、血圧測定のためにカフを加圧する加圧部４と、血圧測定のためにカフを減圧する排気部３と、血圧を測定する血圧測定部６と、被測定者の姿勢あるいは動き状態を感知するように血圧計の本体１０に設置されるセンサー部５と、前記血圧測定部とセンサー部により測定された血圧情報と被測定者の姿勢あるいは動き状態情報とをそれぞれ受信して、設定された演算プログラムにより該二つの情報を比較演算処理する演算処理部８と、前記演算処理部から比較演算処理された情報を記憶するメモリー７と、前記センサー部により測定された被測定者の姿勢あるいは動き状態と前記血圧測定部により測定された被測定者の血圧情報とを出力する出力部２と、それぞれの構成要素に電源を供給する電源部９とからなる。
【００２１】
前記加圧部４は血圧測定の時カフの加圧速度を複数の段階に分けて実施できる複数の駆動モードを有している。本発明では二つの駆動モード即ち、第１駆動モードと第２駆動モードからなる加圧部を例示して構成し、第１駆動モード（正常駆動モード）は第２駆動モード（睡眠駆動モード）に比べてカフの加圧速度が速くなっている。
【００２２】
また、本発明の血圧計の本体１０に設置されるセンサー部５を一例として図４に示すようにフレーム５ａ、ジンバル５ｂ、回転軸５ｃ、ローター５ｄからなる公知のジャイロスコープを利用して構成することによって演算処理部８が血圧計の本体の方向、位置、遊動状態に対する感知信号を受信することができる。
【００２３】
前記血圧計の本体の方向、位置、遊動状態に対する感知信号がリアルタイムで演算処理部８に入力されると、演算処理部８はその信号形態によって一定の時間帯域（例えば、予めプログラムにより設定された１分間隔または３分間隔など）に応じて所定の信号帯域に分けて、それぞれの時間帯域に応じた信号帯域が複数の群に特定される。
【００２４】
例えば、所定の時間帯域の範囲内で血圧計の本体が遊動しないまま立っている状態を示す信号が異なる信号受信時間と比較して８０％以上持続的に受信されると、図５に示すようにその時間帯に測定された血圧は被測定者が立っている状態で測定した血圧として判定して出力または記憶される。
【００２５】
また、所定の時間帯域の範囲内で血圧計の本体にある程度の遊動があり、本体の立っている状態を示す信号が異なる信号受信時間と比較して８０％以上持続的に受信されると、図６に示すようにその時間帯に測定された血圧は被測定者が歩いている状態で測定した血圧として判定して出力または記憶される。
【００２６】
また、所定の時間帯域の範囲内で血圧計の本体が遊動しないまま横の方向になっている状態を示す信号が異なる信号受信時間と比較して８０％以上持続的に受信されると、図９に示すようにその時間帯に測定された血圧は被測定者が横になっている状態で測定した血圧として判定して出力または記憶される。
【００２７】
同様に、所定の時間帯域の範囲内で血圧計の本体にある程度の遊動があり、本体が横の方向になっている状態を示す信号が異なる信号受信時間と比較して８０％以上持続的に受信されると、図１０に示すようにその時間帯に測定された血圧は睡眠中に寝返りする状態で測定した血圧として判定して出力または記憶される。
判定結果情報の出力は出力部２の画面に直接出力しても良く、出力部に別のモニターなどを繋いで出力しても良い。
【００２８】
一方、被測定者の血圧を時間の経過により周期的に測定する過程において、被測定者の姿勢状態に応じて本発明の血圧測定装置１００の加圧部４は第１駆動モードまたは第２駆動モードで駆動する。
一例として、被測定者が就寝しない状態で横になって休んだりするときに、血圧が測定される場合はカフの加圧を速やかにしても良いので、演算処理部８が血圧測定時間とセンサーによって受信される信号帯域を比較演算して正常駆動モードである第１駆動モードによりカフが加圧されるように制御する。
【００２９】
逆に、被測定者が就寝、就寝中に寝返りするときに血圧が測定される場合には被測定者が血圧測定を認知し難くするためにカフの加圧をゆっくり進める必要があるので、演算処理部８が血圧測定時間とセンサーによって受信される信号帯域を比較演算して睡眠駆動モードである第２駆動モードによりカフが加圧されるように制御する。
勿論、本発明の血圧測定装置は加圧部を第１駆動モードと第２駆動モードのうち、ある一つの駆動モードに固定して手動動作させる場合には被測定者の姿勢状態に係わらず血圧を測定するごとに同じ駆動モードで加圧部を駆動することもできる。
【００３０】
このように構成される本発明の血圧測定装置の駆動過程を図１１を参照して説明する。
先ず、演算処理部８は血圧計の本体１０に設置されるセンサー部５を利用して被測定者の姿勢状態情報をリアルタイムで受信する（Ｓ１０）。
【００３１】
被測定者の姿勢状態情報が受信されると演算処理部８はその信号形態によって時間帯域に応じて所定の信号帯域に分けて特定し、それぞれの時間帯域に応じた信号帯域を複数の群に分けて被測定者の姿勢状態に対するレベルを決定する（Ｓ２０）。
【００３２】
続いて、演算処理部８は、所定の時間帯域に被測定者の血圧が初めて測定されると該時間帯域に応じる被測定者の姿勢状態のレベルと連係させて演算処理して（Ｓ３０）、測定された血圧をメモリーに記憶したり（Ｓ４０）、出力部を通じて情報を出力する（Ｓ５０）。
【００３３】
続いて、一番目の血圧が測定された後、一定の時間帯域で血圧測定モードが維持されているか否かを演算処理部８が判断し（Ｓ６０）、ステップＳ６０において血圧測定モードが維持されている場合には、演算処理部８は、二番目の血圧測定時間が被測定者の姿勢状態のレベルが睡眠レベルと一致するかを判断する（Ｓ７０）。血圧測定モードの維持が解除された場合には血圧測定を終了する。
【００３４】
ステップＳ７０において被測定者の姿勢状態のレベルが睡眠レベルと一致する場合には、加圧部５を睡眠駆動モード即ち、第２駆動モードに駆動して（Ｓ８０）、カフ１を加圧して二番目の血圧を測定する（Ｓ１００）。ステップＳ７０において被測定者の姿勢状態のレベルが睡眠レベルではない場合、加圧部５を正常駆動モード即ち、第１駆動モードに駆動して（Ｓ９０）、カフ１を加圧して二番目の血圧を測定する（Ｓ１００）。
【００３５】
第２駆動モード（睡眠駆動モード）は、被測定者が一定時間以上横になっているか一定時間横になっている状態で寝返りを示す感知信号が感知されるとき駆動されるモードであるが、プログラム設定によって駆動モードの設定は変更できる。
【００３６】
一方、ステップＳ１００において測定された血圧は、ステップＳ３０を経て演算処理部１０により比較演算処理された後、その情報が被測定者の姿勢状態の情報と共に記憶または出力される。
三番目の血圧測定から最終の血圧測定が終了するまで、ステップＳ３０からステップＳ１００を繰り返して実行する。
【００３７】
本発明は上述のように説明または示している実施形態に限らず、特許請求範囲および本発明の目的の範囲内で様々に変形して実施することができる。
【産業上の利用可能性】
【００３８】
本発明は血圧を測定する装置に適用できる。
【図１】
2013502969.tif 000003
【図２】
2013502969.tif 000004
【図３】
2013502969.tif 000005
【図４】
2013502969.tif 000006
【図５】
2013502969.tif 000007
【図６】
2013502969.tif 000008
【図７】
2013502969.tif 000009
【図８】
2013502969.tif 000010
【図９】
2013502969.tif 000011
【図１０】
2013502969.tif 000012
【図１１】
2013502969.tif 000013
【国際調査報告】
2013502969.tif 000014
2013502969.tif 000015
2013502969.tif 000016
2013502969.tif 000017